(57)【要約】【課題】  踏板を側枠に固定しているボルトが緩むようなことがあっても、踏板を脱落させることなく側枠に保持させて、事故を防止することの出来る足場用階段を提供する。【解決手段】  左右一対の側枠１，１間に、踏板本体３の左右両端部に断面コ字状の端部キャップ４，４を嵌合固定してなる踏板２を一定間隔で横架してなる階段であって、各踏板２は、各側枠１から挿通したボルト５を各端部キャップ４に設けた雌ねじ部６に螺合して締め付けることにより、両側枠１，１に固定される足場用階段において、各踏板２には各端部キャップ４の外側面所要部に係合突起１０を設け、各側枠１には踏板横架位置に係合孔２０を設けて、係合孔２０に各端部キャップ４の係合突起１０を係合させる。【選択図】図５
2005126980.tif 000002
【特許請求の範囲】
【請求項１】
傾斜状に配置される左右両側一対の側枠間に、踏板本体の左右両端部に断面コ字状の端部キャップを嵌合固定してなる踏板を水平に一定間隔おきに横架してなる階段であって、各踏板は、各側枠から挿通してボルトを端部キャップに設けた雌ねじ部に螺合して締め付ることにより側枠に固定されるようになっている足場用階段において、
各踏板には各端部キャップの外側面所要部に係合突起を設け、各側枠には踏板横架位置に係合孔又は係合凹部を設けて、この係合孔又は係合凹部に各端部キャップの係合突起を係合させるようにしたことを特徴とする足場用階段。
【請求項２】
各端部キャップの係合突起は、端部キャップと一体に形成されたものからなることを特徴とする請求項１に記載の足場用階段。
【請求項３】
各端部キャップの係合突起は、端部キャップとは別体に形成されて、端部キャップに取り付けられたものからなる請求項１に記載の足場用階段。
【請求項４】
傾斜状に配置される左右両側一対の側枠間に、踏板本体の左右両端部に断面コ字状の端部キャップを嵌合固定してなる踏板を水平に一定間隔おきに横架してなる階段であって、各踏板は、各側枠から挿通してボルトを端部キャップに設けた雌ねじ部に螺合して締め付けることにより側枠に固定されるようになっている足場用階段において、
各踏板には各端部キャップの外面所要部に係合孔又は係合凹部を設け、各側枠には内側面の踏板横架位置に係合突起を設けて、この係合突起を各端部キャップの係合孔又は係合凹部に係合させるようにしたことを特徴とする足場用階段。
【請求項５】
各側枠の係合突起は、側枠と一体に形成されたものからなることを特徴とする請求項４に記載の足場用階段。
【請求項６】
各側枠の係合突起は、側枠とは別体に形成されて、側枠に取り付けられたものからなる請求項４に記載の足場用階段。
【発明の詳細な説明】
【技術分野】
【０００１】
本発明は、建築作業現場の組立足場に使用される足場用階段に関するものである。
【背景技術】
【０００２】
従来の足場用階段として、公知文献を具体的に挙げることは出来ないが、従来より使用されている階段は、傾斜状に配置される左右両側一対の金属製側枠間に、金属製踏板本体の左右両端部に横断面コ字状の金属製端部キャップを嵌合固定してなる踏板を、水平姿勢にて一定間隔おきに横架してなるもので、各踏板は、側枠から挿通した固定用ボルトを端部キャップに設けた雌ねじ部に螺合して締め付けることによって、両側枠に固定されるようになっている。
【発明の開示】
【発明が解決しようとする課題】
【０００３】
上記のような構成の従来の足場用階段においては、各踏板を側枠に固定しているボルトが緩んだ場合に、踏板が側枠から脱落して大きな事故を招くと云う問題があった。
【０００４】
本発明は、上記の課題に鑑み、踏板を側枠に固定しているボルトが緩むようなことがあっても、踏板を脱落させることなく側枠に保持させて、事故を防止することの出来る足場用階段を提供することを目的とする。
【課題を解決するための手段】
【０００５】
上記課題を解決するための手段を、後述する実施形態の参照符号を付して説明すると、請求項１に係る発明は、傾斜状に配置される左右両側一対の側枠１，１間に、踏板本体３の左右両端部に断面コ字状の端部キャップ４，４を嵌合固定してなる踏板２を水平に一定間隔おきに横架してなる階段Ｋであって、各踏板２は、各側枠１から挿通したボルト５を各端部キャップ４に設けた雌ねじ部６に螺合して締め付けることによって、両側枠１，１に固定されるようになっている足場用階段Ｋにおいて、各踏板２には各端部キャップ４の外側面所要部に係合突起１０を設け、各側枠１には踏板横架位置に係合孔２０又は係合凹部を設けて、この係合孔２０又は係合凹部に各端部キャップ４の係合突起１０を係合させるようにしたことを特徴とする。
【０００６】
請求項２は、請求項１に記載の足場用階段において、各端部キャップ４の係合突起１０は、端部キャップ４と一体に形成されたものからなることを特徴とする。
【０００７】
請求項３は、請求項１に記載の足場用階段において、各端部キャップ４の係合突起１０は、端部キャップ４とは別体に形成されて、端部キャップ４に取り付けられたものからなることを特徴とする。
【０００８】
請求項４に係る発明は、傾斜状に配置される左右両側一対の側枠１，１間に、踏板本体３の左右両端部に断面コ字状の端部キャップ４，４を嵌合固定してなる踏板２を水平に一定間隔おきに横架してなる階段Ｋであって、各踏板２は、各側枠１から挿通したボルト５を各端部キャップ４に設けた雌ねじ部６に螺合して締め付けることによって、両側枠１，１に固定されるようになっている足場用階段Ｋにおいて、各踏板２には各端部キャップ４の外側面所要部に係合孔２０又は係合凹部を設け、各側枠１には内側面の踏板横架位置に係合突起１０を設けて、この係合突起１０を各端部キャップ４の係合孔２０又は係合凹部に係合させるようにしたことを特徴とする。
【０００９】
請求項５は、請求項４に記載の足場用階段において、各側枠１の係合突起１０は、側枠１と一体に形成されたものからなることを特徴とする。
【００１０】
請求項６は、請求項４に記載の足場用階段において、各側枠１の係合突起１０は、側枠１とは別体に形成されて、側枠１に取り付けられたものからなることを特徴とする。
【発明の効果】
【００１１】
上記解決手段による発明の効果を、後述する実施形態の参照符号を付して説明すると、請求項１に係る発明の足場用階段Ｋによれば、各踏板２に、各端部キャップ４の外側面所要部に係合突起１０を設け、各側枠１には踏板横架位置に係合孔２０又は係合凹部を設けて、係合孔２０又は係合凹部に各端部キャップ４の係合突起１０を係合させるようにしたから、足場用階段Ｋの使用中に、或る踏板２を側枠１に固定しているボルト５が緩んで外れるようなことがあっても、その踏板２は、両端部キャップ４，４の係合突起１０，１０が側枠１，１の係合孔２０，２０に係合された状態で保持され、脱落が防止される。
【００１２】
各端部キャップ４の係合突起１０は、請求項２に記載のように端部キャップ４と一体に形成してもよいし、また請求項３に記載のように、端部キャップ４とは別体に形成して、端部キャップ４に取り付けるようにしてもよい。
【００１３】
請求項４に係る発明の足場用階段Ｋによれば、各踏板２に、各端部キャップ４の外側面所要部に係合孔２０又は係合凹部を設け、各側枠１には内側面の踏板横架位置に係合突起１０を設けて、係合突起１０を端部キャップ４の係合孔２０又は係合凹部に係合させるようにしたから、足場用階段Ｋの使用中に、或る踏板２を側枠１に固定しているボルト５が緩んで外れるようなことがあっても、その踏板２は、両側枠１，１の夫々内側面に突設された係合突起１０，１０が端部キャップ４，４の係合孔２０，２０又は係合凹部に係合された状態で保持されることになって、脱落が防止される。
【００１４】
各側枠１の係合突起１０は、請求項５に記載のように側枠１と一体に形成してもよいし、また請求項６に記載のように、側枠１とは別体に形成して、側枠１に取り付けるようにしてもよい。
【発明を実施するための最良の形態】
【００１５】
以下に本発明の好適な実施形態を図面に基づいて説明すると、図１は本発明に係る足場用階段Ｋの使用状態を示す斜視図、図２は同足場用階段Ｋの側面図、図３の(a) は図２の矢印Ａで囲まれる部分の拡大図、(b) は図２の矢印Ｂで囲まれる部分の拡大図、図４は図２のＸ−Ｘ線拡大断面図である。図５の(a) は踏板２の端部側を示す斜視図、(b) は足場用階段Ｋの要部断面斜視図である。
【００１６】
この足場用階段Ｋは、傾斜状に配置される左右両側一対の側枠１，１に踏板２を側枠１の長手方向に沿って一定間隔おきに水平に横架してなるもので、両側枠１，１の夫々上下両端部には掛止用フック７ａ，７ｂが取り付けられ、各掛止用フック７ａ，７ｂは、図１に示すような枠組足場Ｗの建枠８の横材９に掛止出来るようになっており、また下端側の掛止用フック７ｂは、図３の(b) に示すように床面Ｆ上に安定状態に接地出来るようになっている。
【００１７】
各踏板２は、踏板本体３と、この踏板本体３の左右両端部に嵌合固定される断面コ字状の端部キャップ４，４とからなるもので、各側枠１から挿通したボルト５を各端部キャップ４に取り付けたナット６（雌ねじ部）に螺合して締め付けることによって、両側枠１，１に挟まれた状態で固定されるようになっている。各踏板２には各端部キャップ４の外側面中央部に係合突起１０が設けられ、各側枠１には各踏板２に踏板横架位置に係合孔２０が設けられていて、各端部キャップ４の係合突起１０が側枠１の係合孔２０に係合されている。
【００１８】
上記足場用階段Ｋの構造について更に詳細に説明すると、各側枠１は、図４及び図５に示すような断面略コ字状のアルミニウム合金の押し出し型材からなるもので、コ字状溝部１ｃを外向きにして配置される。尚、図示は省略するが、各側枠１には、一定角度傾斜した姿勢で各踏板２が水平に取り付けられる位置に左右一対のボルト挿通孔が設けられていて、このボルト挿通孔より端部キャップ４のナット６にボルト５がねじ込まれるようになっている。
【００１９】
各踏板２の踏板本体３は、図６の(b) に示すような断面形状のアルミニウム合金の押し出し型材からなるもので、裏面側の前後両側端部及びその中間部に角筒状の補強枠部１１，１１，１２を形成し、同図の(a) に示すように、表面側には前後両側端部及びその中間部に滑り止め用凹凸条部１３，１３，１４を形成すると共に、凹凸条部１３と凹凸条部１４との間には滑り止め用孔部１５がバーリング加工によって形成されている。
【００２０】
端部キャップ４は、図７の(a) 〜(d) から分かるように、外側壁部４ａと上下壁部４ｂ，４ｂとで断面略コ字状に形成されるアルミニウム合金の押し出し型材からなるもので、外側壁部４ａの中央部域が隆起して、その隆起部１６の左右両端部にボルト挿通孔１７，１７が設けられ、各ボルト挿通孔１７の裏側にナット６（雌ねじ部）が同心状に固着されており、そして隆起部１６の外側面中央部に係合突起１０がプレス加工により一体形成されている。上下各壁部４ｂの両端部にはリベット孔１８が設けられている。
【００２１】
上記係合突起１０は、両側枠１，１間に踏板２に横架する時に、図８の(a) に示すように側枠１の踏板横架位置にある係合孔２０に係合されるようになっている。図９の(a) ，(b) には、踏板本体３の左右両端部に夫々端部キャップ４を嵌合し、リベット孔１８を利用して端部キャップ４を踏板本体３にリベット１９結合することによって、踏板２を組立形成した状態を示している。
【００２２】
こうして組立形成される踏板２を、傾斜状に配置した左右両側一対の側枠１，１間に介在させて、各踏板２の両端部キャップ４，４に夫々設けた係合突起１０，１０を、側枠１，１の踏板横架位置に設けた係合孔２０，２０に夫々係合させた状態で、両側枠１，１のボルト挿通孔からボルト５を端部キャップ４，４側のナット６に螺合して締め付けることにより、各踏板２は、両側枠１，１に挟まれた状態で固定される。この状態を図３、図４及び図５の(b) に示す。
【００２３】
上記のように、この足場用階段Ｋにおいては、各踏板２における各端部キャップ４の外側面所要部に係合突起１０が設けられ、各側枠１には各踏板２の横架位置に係合孔２０が設けられて、この係合孔２０に各端部キャップ４の係合突起１０が係合されているから、足場用階段Ｋの使用中に、或る踏板２を側枠１に固定しているボルト５が緩んで外れるようなことがあっても、その踏板２は、両端部キャップ４，４の係合突起１０，１０が側枠１，１の係合孔２０，２０に係合された状態で保持されることになって、脱落が防止される。
【００２４】
上述した端部キャップ４の係合突起１０は、図８の(a) に示すように端部キャップ４と一体に形成されたものであるが、同図の(b) に示す係合突起１０のように、端部キャップ４とは別体に形成されて、端部キャップ４に取り付けられたものでもよい。この別体に形成された係合突起１０を端部キャップ４に取り付けるには、例えば、係合突起１０の裏側にネジ軸部２１を一体に連設し、端部キャップ４には係合突起取付箇所に孔２２を設けて、係合突起１０のネジ軸部２１を端部キャップ４の孔２２に通してナット２３で締め付け固定するようにすればよい。
【００２５】
また、端部キャップ４の係合突起１０が係合する側枠１の係合孔２０は、側枠１を貫通するように形成したものであるが、このような貫通孔に代えて、係合突起１０が係合可能な係合凹部を側枠１の内側面に形成したものでもよい（図示省略）。
【００２６】
また、以上説明した実施形態の足場用階段Ｋでは、各端部キャップ４に係合突起１０を設け、各側枠１の踏板横架位置に係合孔２０又は係合凹部を設けているが、図１０の実施形態に示す足場用階段のように、各側枠１の踏板横架位置に係合突起１０を設け、この係合突起１０が係合する係合孔２０又は係合凹部を端部キャップ４に設けてもよい。
【００２７】
即ち、図１０の(a) に示す実施形態では、側枠１の踏板横架位置に係合突起１０をプレス加工により一体に形成し、端部キャップ４の隆起部１６に係合孔２０を開けて、側枠１の係合突起１０を端部キャップ４の係合孔２０に係合させるようにしたものである。端部キャップ４側には、係合孔２０に代えて、係合突起１０が係合可能な係合凹部を形成してもよい。
【００２８】
また、図１０の(b) に示す実施形態は、係合突起１０を、側枠１とは別体に形成して、側枠１に取り付けたもので、この場合、例えば、側枠１と別体の係合突起１０には裏側にネジ軸部２１を一体に連設し、側枠１には係合突起取付箇所に孔２２を設けて、係合突起１０のネジ軸部２１を側枠１の孔２２に通してナット２３で締め付け固定すればよい。而して、この係合突起１０は、端部キャップ４の係合孔２０又は係合凹部に係合される。
【００２９】
上記した図１０の(a) ，(b) に示すような足場用階段の場合も、足場用階段Ｋの使用中に、或る踏板２を側枠１に固定しているボルト５が緩んで外れるようなことがあっても、その踏板２は、両側枠１，１の夫々内側面に突設された係合突起１０，１０が端部キャップ４，４の係合孔２０，２０又は係合凹部に係合された状態で保持されることになって、脱落が防止され、事故を未然に防止することが出来る。
【００３０】
以上説明した本発明の実施形態では、側枠１から挿通したボルト５をねじ込むための雌ねじとして、端部キャップ４に設けたボルト挿通孔１７の裏側にナット６を固着しているが、ナット６を使用する代わりに、端部キャップ４のボルト挿通孔をねじ孔としてもよい。その場合、ねじ孔は、バーリング加工によって形成した孔にねじを切るようにするのがよい。また、この実施形態では、踏板２の各端部キャップ４に１つの係合突起１０を設け、側枠１の踏板横架位置に１つの係合孔２０又は係合凹部を設けているが、係合突起１０及びこれが係合する係合孔２０又は係合凹部は、夫々２つ以上ずつ設けてもよい。各側枠１の踏板横架位置に係合突起１０を設ける場合も同様である。
【図面の簡単な説明】
【００３１】
【図１】本発明に係る足場用階段の使用状態を示す斜視図である。
【図２】同足場用階段の側面図である。
【図３】(a) は図２の矢印Ａで囲まれる部分の拡大図、(b) は図２の矢印Ｂで囲まれる部分の拡大図である。
【図４】図２のＸ−Ｘ線拡大断面図である。
【図５】(a) は踏板の端部側を示す斜視図、(b) は足場用階段の要部断面斜視図である。
【図６】(a) は踏板本体を示す平面図、(b) は側面図である。
【図７】(a) は端部キャップの正面図、(b) は平面図、(c) は端面図、(d) は(a) のＹ−Ｙ線拡大断面図である。
【図８】(a) は図７の(a) のＺ−Ｚ線拡大断面図、(b) は他の実施形態による端部キャップを示す、(a) と同様な断面図である。
【図９】(a) は踏板の平面図、(b) は側面図である。
【図１０】(a) ，(b) は更に他の実施形態による足場用階段の要部断面図である。
【符号の説明】
【００３２】
Ｋ          足場用階段
１          側枠
２          踏板
３          踏板本体
４          端部キャップ
５          ボルト
６          ナット（雌ねじ部）
１０        係合突起
２０        係合孔
【図１】
2005126980.tif 000003
【図２】
2005126980.tif 000004
【図３】
2005126980.tif 000005
【図４】
2005126980.tif 000006
【図５】
2005126980.tif 000007
【図６】
2005126980.tif 000008
【図７】
2005126980.tif 000009
【図８】
2005126980.tif 000010
【図９】
2005126980.tif 000011
【図１０】
2005126980.tif 000012